(57)【要約】【課題】分析装置に指示を行いまた分析結果や動作状態を表示する操作部を本体に対し着脱可能な構成とし、操作部支持体をコンパクトで面積をとらずに本体上部に固定できるようにする。また、本体と操作部支持体の固定及び、本体から外して操作部を使用する場合においても安定性の向上を図った操作部支持体を備えた小型分析装置を提供することを目的とする。【解決手段】操作部を支持する操作部支持体に、２枚の板状部材と、該板状部材を開閉可能に接続する軸部と、前記板状部材のいずれかに設けられた操作部固定用部材と前記板状部材に設けられた装置本体と契合するような鍵状の部材を備えた操作部支持体を備えたことにより、本体と操作部の固定及び操作部を本体から外して使用する場合の操作部固定の安定性向上を図り、本体の操作部支持体の取付け面積を広げずに操作部を本体に安定して固定することができる操作部支持体を備えた。【選択図】図４
0003123749.tif 000002
【実用新案登録請求の範囲】
【請求項１】
少なくとも２枚の板状部材と、該板状部材を開閉可能に接続する軸部と、前記板状部材のいずれかに設けられた、操作部固定用部材と他方の前記板状部材に設けられた分析装置本体の接続部とを備えた操作部支持体を備えたことを特徴とする自動分析装置。
【請求項２】
請求項１に記載の分析装置において、前記接合部は、本体の一部に契合するような鍵状の部材を備えたことを特徴とする分析装置。
【考案の詳細な説明】
【技術分野】
【０００１】
本考案は血液，尿等の生体サンプルの定量，定性分析を行う自動分析装置に係り、特にデータ等を表示する表示装置が液晶ディスプレーである自動分析装置に関する。
【背景技術】
【０００２】
血液，尿等の生体サンプルの定性，定量分析を行う自動分析装置は、従来の用手法に比べ、高スループット、測定結果の再現性の高さ等により、検査センタ，大病院を中心に近年普及が著しい。このような自動分析装置は、分析を行う機構部と、機構部を制御する
ＰＣ等の制御部に分かれているのが一般的である。このような自動分析装置については、顧客の要望により、スループットの大きい大型のものから、バックアップ用の小型のものまで、開発されているが、特に小型の分析装置については省スペース化が求められている。そのため、特許文献１に記載されるように、ＰＣ本体を機構部に設置し、表示部と入力部を兼ねるタッチパネル式の液晶表示装置を機構部の上方に設けた装置も提案されている。
【０００３】
【特許文献１】特開平１１−３１６２３０号公報
【考案の開示】
【考案が解決しようとする課題】
【０００４】
ユーザによってはタッチパネル式の入出力装置を分析装置上ではなく、机上に移動して使いたいという希望がある場合がある。特許文献１記載の自動分析装置では、タッチパネルが指で押されても倒れないように固定手段があることが記載されているが、入出力装置を移動することについては配慮されておらず、固定手段のない机上に設置した場合は、不安定になることが想定される。
【０００５】
本発明の目的は、入出力装置を自動分析装置の上方に容易に設置できるとともに、机上に移動した場合でも、安定して設置できる部材を備えた自動分析装置を提供することにある。
【課題を解決するための手段】
【０００６】
前記目的を達成するための本考案の構成は以下の通りである。
【０００７】
少なくとも２枚の板状部材と、該板状部材を開閉可能に接続する軸部と、前記板状部材のいずれかに設けられた、操作部固定用部材と他方の前記板状部材に設けられた分析装置本体の接続部とを備えた操作部支持体を備えた自動分析装置。
【０００８】
自動分析装置としては例えば多数の検体容器を搭載可能な検体保持手段と、試薬ボトルを搭載する試薬保持手段と、検体と試薬とを反応させる反応手段と、検体と試薬とを反応容器に分注する分注手段と、反応容器で反応した反応液を分析する分析手段を備える自動分析装置が典型的なものである。このような自動分析装置において、機構の制御を行う操作卓と機構の動作に関する情報の表示を行う表示手段とを備えた操作部を水平面に対し傾斜のついた操作卓に固定するための固定部材として、２枚の板状部材と、該板状部材を開閉可能に接続する軸部と、前記板状部材のいずれかに設けられた操作部固定用部材と前記板状部材に設けられた装置本体と契合するような鍵状の部材を備えた操作部支持体を備えることが好ましい。これにより、本体と操作部の固定及び操作部を本体から外して使用する場合の操作部固定の安定性向上を図ることができるとともに、本体の操作部支持体の取付け面積を広げずに操作部を本体に安定して固定することができる。
【考案の効果】
【０００９】
本考案によれば、操作部１００を本体１０に取付けて操作する時及び外して操作したりする場合のいずれにおいても、２枚の板状部材が開閉可能にすること及び、本体１０の一部に契合するような鍵状の部材を備えたことにより、本体１０と操作部支持体１０２の固定を最小限の面積で本体に安定して固定することができ、装置占有面積を小さくすることで装置自身がコンパクトになりかつ機構部へのアクセス性もよくなる。
【考案を実施するための最良の形態】
【００１０】
多数の検体容器を搭載可能な検体保持手段と、試薬ボトルを搭載する試薬保持手段と、検体と試薬とを反応させる反応手段と、検体と試薬とを反応容器に分注する分注手段と、反応容器で反応した反応液を分析する分析手段を備える自動分析装置においては一般的に、上記検体保持手段と試薬保持手段とを手前に並べて配置し、その奥に上記分注手段、さらに上記手段の操作卓に動作に関する情報の表示を行う表示手段とを備えた操作部を配置する。操作部は上記検体保持手段の奥の上部で、水平面に対し傾斜のついた操作卓に固定し分析装置に指示を行う。操作部は本体に対し着脱可能な構成とし、本体と別の位置において操作することができ、その使用状況により自由に選択し操作しやすいようにしている。また操作部はタッチパネルの機能があるため、操作部を指で押して使用することから、操作部を固定しかつ安定して操作するための手段として、操作部支持体に凹部、本体に凸部を設け固定し結合する。取り外す際はボタンを強く押すことで上記凹凸の結合が外れる構造になっている。操作部のタッチパネルを押しても倒れないようにするために、操作部支持体に必要に応じて、操作部支持体から延長具を引き出せるような構造になっている。
【００１１】
以下、本考案に係る考案の実施形態について、免疫分析装置を例にして図面を用いて説明する。
【００１２】
図１は免疫分析装置の外観図、図２は分析結果や動作状態を表示する操作部１００を本体１０に対し着脱可能な構成とし、操作部１００を本体１０から外した状態の外観図である。本体１０には、蓋（部）１１が設けられ、蓋１１は独立して開閉できる。操作部100を本体１０上部に固定できるようにしたため面積をとらず、機構部へアクセスしやすい配置になり、装置自身がコンパクトになる。
【００１３】
図３はテーブル１５の面で、検体ディスク（検体保持手段）２００，試薬ディスク（試薬保持手段）２０１，分注機（ピペット分注機構）２０２、等の配置を示す。テーブル
１５に２個の円形の穴が設けられ、その一つに検体ディスク２００が、他の穴に試薬ディスク２０１がアクセスしやすいように装置手前に並べて配置されている。検体ディスク
２００には、血清あるいは尿等の検体を入れた検体容器２０３がディスク中心から等半径に多数搭載される。一方試薬ディスク２０１は、試薬を入れた試薬ボトル２０４が中心から等半径の同心円上に多数搭載され、試薬の化学的変化を防ぐため一定温度以下に保持されている。ディスク内には試薬２０５が設置してある。チップラック２０６には、例えばポリプロピレンなどで作られている比較的安価なディスポーザブルのノズルチップが多数保持されている。ベッセルラック２０７には、この中で反応を行わせるベッセルが多数保持されており、更にこの奥には、一定温度に保持しこの一定温度の下で反応を行わせる反応部（インキュベータ）２０８が設けられている。グリッパ機構２０９は、チップラック２０６に保持されているノズルチップを取り、チップバッファ２１０へ搬送し、更にベッセルラック２０７に保持されているベッセルを取り、このベッセルを一時退避する場所であるベッセルバッファ２１１へ搬送する。
【００１４】
分注機２０２は試薬と検体を分注する機能を有し、図３の如く操作側（または上側）から見て、手前側に配置された検体ディスク２００や試薬ディスク２０１の奥側に配置され、検体吸引位置２１２からノズルチップ廃棄位置２１３まで、水平方向に直線移動する。なお、ピペット分注機構２０２の水平移動軌跡２１４と試薬ボトルの試薬２０５の円周動作軌跡との交点が各試薬の吸引位置となる。分析部２１５は、反応液吸引位置２１６で反応液を吸引し、この反応液を分析する。２１７は廃棄ボックスであり、チップバッファ
２１０およびベッセルバッファ２１１の外側に配設してある。使い終わったノズルチップはノズルチップ廃棄位置２１３から、また使い終わったベッセルはベッセル廃棄位置218から、廃棄ボックス２１７に廃棄される。２１９は廃液タンク、２２０は給水タンク、
２２１は試薬ケースであり、アクセスしやすいように装置手前側に配置してある。これにより操作部１００は本体１０の上部に面積をとらずに配置することで、装置そのものの占有面積を小さくし、装置自身をコンパクトにできることが大きな利点となる。また立って使用する性質上、本体１０の上部に操作部１００を固定できるようにしたことも大きな利点である。
【００１５】
本考案を適用した操作部支持体１０２の状態を図４を使用して説明する。ベース上板
１０４とベース下板１０５がベース回転軸１０７を回転軸として回転できる構造になっている。
【００１６】
ベース下板１０５には突起１０３が備えており、本体１０と契合する形状になっている。ベース上板１０４とササエ板１０８が組付けられ、更にササエ板１０８と角度調整部
１０６が組付けられている。角度調整部１０６と表示部１０１が組付き表示部１０１の角度を調整できるようになっている。
【００１７】
図１に示すごとく、蓋１１には開口１２すなわち穴が設けられ、開口１２には操作部支持体１０２と表示部１０１を有する操作部１００が設けられている。図２に示すごとく操作部１００の設置面には、傾斜のついた本体１０側の平面に操作部１００を固定するための取付け手段に用いる穴１３が設けられ、この穴１３に操作部支持体１０２の固定に用いる突起１０３がはめこまれ、操作部支持体１０２と本体１０は契合される。これにより、操作部設置面に傾斜がついていても突起１０３が穴１３にひっかかる形で契合されるため安定して設置が可能となる。また、本体１０上部に設置面があり且つ傾斜がついていることから面積を取らず、テーブル１５の配置も装置手前に並べて配置できるため、アクセスもしやすい配置になる。これにより占有面積が小さくなり、装置自身がコンパクトになる。操作部支持体１０２が本体１０と契合された状態においてネジで本体１０と操作部支持体１０２を固定する。本体１０の上面には操作部１００の信号線の接続を行うコネクタ
１４が設けられ、操作部１００を本体１０から外して使用する場合の信号線の接続に使用される。図１の例では、蓋１１を閉じた状態で操作部１００は操作可能とされる。
【００１８】
操作部１００を本体１０から外して使用する場合は、図５のごとくベース上板１０４とベース下板１０５が回転して開き設置面に安定し且つ容易に固定することができ、またタッチパネルが手で押されても操作部が倒れることはない。
【図面の簡単な説明】
【００１９】
【図１】本考案の一実施例を示す免疫分析装置の外観図。
【図２】図１における免疫分析装置の操作部を本体から外した状態の外観図。
【図３】免疫分析装置のテーブル面の配置を示す図。
【図４】本考案の操作部の外観図（正面図，側面図）。
【図５】本考案の一実施例による操作部支持台を本体から外して固定する状態図。
【符号の説明】
【００２０】
１０…本体、１１…蓋、１２…開口、１３…穴、１４…コネクタ、１５…テーブル、
１００…操作部、１０１…表示部、１０２…操作部支持体、１０３…突起、１０４…ベース上板、１０５…ベース下板、１０６…角度調整部、１０７…ベース回転軸、１０８…ササエ板、２００…検体ディスク、２０１…試薬ディスク、２０２…分注機、２０３…検体容器、２０４…試薬ボトル、２０５…試薬、２０６…チップラック、２０７…ベッセルラック、２０８…反応部、２０９…グリッパ機構、２１０…チップバッファ、２１１…ベッセルバッファ、２１２…検体吸引位置、２１３…ノズルチップ廃棄位置、２１４…水平移動軌跡、２１５…分析部、２１６…反応液吸引位置、２１７…廃液ボックス、２１８…ベッセル廃棄位置、２１９…廃液タンク、２２０…給水タンク、２２１…試薬ケース。
【図１】
0003123749.tif 000003
【図２】
0003123749.tif 000004
【図３】
0003123749.tif 000005
【図４】
0003123749.tif 000006
【図５】
0003123749.tif 000007